(57)【要約】      （修正有）【課題】消費者毎に関連付けられた電気車両充電ステーションの充電機能に接続するためのシステムおよび方法の提供。【解決手段】電気車両充電ステーション２０２に関連付けられた読取可能コード２０４を受信し、さらに、モバイル装置２０６に関連付けられた固有識別子２０５を受信し、読取可能コード２０４および固有識別子２０５の少なくとも一部に基づいて、電気車両充電ステーション２０２に関連付けられた充電機能２１１に接続させるように、モバイル装置２０６に関連付けられた消費者２０７を認可するように動作可能な、コンピュータで実行可能な命令を保存するように動作可能なメモリを有している。【選択図】図２
2013070597.tif 000002
【特許請求の範囲】
【請求項１】
電気車両充電ステーション（２０２）の充電機能（２１１）に接続するための方法であって、
モバイル装置（２０６）の固有識別子（２０５）を電気車両充電ステーション操作者（２１２）に登録するステップと、
読取可能コード（２０４）を有する特定の電気車両充電ステーション（２０２）に関連付けられた前記読取可能コード（２０４）を前記電気車両充電ステーション操作者（２１２）に前記モバイル装置（２０６）によって送信するステップ（２１０）と、
前記モバイル装置（２０６）の前記固有識別子（２０５）に関連付けられた消費者（２０７）の、前記電気車両充電ステーション（２０２）に関連付けられた充電機能（２１１）への接続が可能である（２１６）という指示を受信するステップ（２１０）と
を含む方法。
【請求項２】
前記指示を受信するのと同時に、または、受信した後に、電気車両の充電を認可するステップ（２１６）をさらに含む請求項１記載の方法。
【請求項３】
前記モバイル装置（２０６）の前記固有識別子（２０５）はメディアアクセス制御アドレスである請求項１記載の方法。
【請求項４】
前記読取可能コード（２０４）は、クイックレスポンス（ＱＲ）コード、バーコード、または暗号化識別コードを含んでいる請求項１記載の方法。
【請求項５】
前記モバイル装置（２０６）は、スマートフォン、携帯電話、タブレット端末、または携帯通信装置である請求項１記載の方法。
【請求項６】
登録するステップ、送信するステップ、および受信するステップは、安全なプラットフォームを介した通信を用いて実施される請求項１記載の方法。
【請求項７】
電気車両充電ステーション（２０２）の充電機能（２１１）に接続するための方法であって、
消費者（２０７）を固有識別子（２０５）を有するモバイル装置（２０６）に関連付けるステップと、
前記電気車両充電ステーション（２０２）を特定の読取可能コード（２０４）に関連付けるステップと、
前記読取可能コード（２０４）を有する前記特定の電気車両充電ステーション（２０２）に関連付けられた前記読取可能コード（２０４）を含み、前記モバイル装置（２０６）に関連付けられた固有識別子（２０５）をさらに含む通信を前記モバイル装置（２０６）から受信するステップと、
前記モバイル装置（２０６）の前記固有識別子（２０５）に関連付けられた消費者（２０７）の、前記電気車両充電ステーション（２０２）に関連付けられた充電機能（２１１）への接続が可能である（２１６）ことを検証するステップ（２１４）と
を含む方法。
【請求項８】
前記モバイル装置（２０６）の前記固有識別子（２０５）に関連付けられた前記消費者（２０７）の、前記電気車両充電ステーション（２０２）に関連付けられた充電機能（２１１）への接続が可能であることを検証するステップ（２１４）と同時に、または、その後に、前記電気車両充電ステーション（２０２）による電気車両の充電を認可するステップ（２１６）をさらに含む請求項７記載の方法。
【請求項９】
前記電気車両充電ステーション（２０２）に関連付けられた充電機能（２１１）への接続を許可するステップ（２１６）と同時に、または、その後に、前記消費者（２０７）に請求するステップをさらに含む請求項８記載の方法。
【請求項１０】
モバイル装置（２０６）の前記固有識別子（２０５）はメディアアクセス制御アドレスである請求項７記載の方法。
【発明の詳細な説明】
【技術分野】
【０００１】
本発明の実施形態は、大まかには、電気車両充電ステーションに関し、より詳細には、電気車両充電ステーションの充電機能に接続するためのシステムおよび方法に関する。
【背景技術】
【０００２】
一般的に、電気車両充電ステーションを用いて、電気車両またはハイブリッド電気車両に対して充電ポイントが提供されている。電気車両およびハイブリッド電気車両の使用が増加するにつれて、電気車両充電ステーションの充電機能への接続を管理することが必要になる可能性がある。
【先行技術文献】
【特許文献】
【０００３】
【特許文献１】米国特許出願公開第２０１１／０２０８６５８号明細書
【発明の概要】
【０００４】
上記の必要性および／または問題の一部またはすべてには、本発明のいくつかの実施形態によって対処することができる。開示された実施形態には、電気車両充電ステーションの充電機能に接続するためのシステムおよび方法が含まれ得る。本発明のある実施形態によれば、電気車両充電ステーションの充電機能に接続するための方法が開示されている。この方法は、モバイル装置の固有識別子を電気車両充電ステーション操作者に登録するステップと、読取可能コードを有する特定の電気車両充電ステーションに関連付けられた読取可能コードを電気車両充電ステーション操作者にモバイル装置によって送信するステップと、モバイル装置の固有識別子に関連付けられた消費者の、電気車両充電ステーションに関連付けられた充電機能への接続が可能であるという指示を受信するステップとを含み得る。
【０００５】
本発明の別の実施形態によれば、電気車両充電ステーションの充電機能に接続するための別の方法が開示されている。この方法は、消費者を固有識別子を有するモバイル装置に関連付けるステップと、電気車両充電ステーションを特定の読取可能コードに関連付けるステップと、読取可能コードを有する特定の電気車両充電ステーションに関連付けられた読取可能コードを含み、モバイル装置に関連付けられた固有識別子をさらに含む通信をモバイル装置から受信するステップと、モバイル装置の固有識別子に関連付けられた消費者の、電気車両充電ステーションに関連付けられた充電機能への接続が可能であることを検証するステップとを含み得る。
【０００６】
さらに、本発明の別の実施形態によれば、電気車両充電ステーションの充電機能に接続するためのシステムが開示されている。このシステムはコンピュータプロセッサを含み得る。このシステムはまた、電気車両充電ステーションに関連付けられた読取可能コードを受信し、さらに、モバイル装置に関連付けられた固有識別子を受信し、読取可能コードおよび固有識別子の少なくとも一部に基づいて、電気車両充電ステーションに関連付けられた充電機能に接続させるようにモバイル装置に関連付けられた消費者を認可するように動作可能な、コンピュータで実行可能な命令を保存するように動作可能なメモリを有している。
【０００７】
本発明の他の実施形態、態様、および特徴は、以下の詳細な記載、添付の図面、および別記の特許請求の範囲から当業者には明らかとなるであろう。
【０００８】
ここで添付の図面を参照する。なお、図面は必ずしも同じ縮尺で描かれてはいない。
【図面の簡単な説明】
【０００９】
【図１】本発明の実施形態に従う、電気車両充電ステーションの充電機能に接続するための例示のシステムを示すコンピュータ環境のブロック図である。
【図２】本発明の実施形態に従う、電気車両充電ステーションの充電機能に接続するためのデータの流れの例の詳細を概略的に示した図である。
【図３】本発明の実施形態に従う、電気車両充電ステーションの充電機能に接続するための方法の例の詳細を示した流れ図である。
【図４】本発明の実施形態に従う、電気車両充電ステーションの充電機能に接続するための別の方法の例の詳細を示した流れ図である。
【発明を実施するための形態】
【００１０】
ここで、本発明の例示の実施形態を、本発明の実施形態のすべてではないが一部が示された添付の図面を参照しつつ、以下においてより詳しく説明する。本発明は多くの異なる態様で実施することができ、本明細書で記載される実施形態に限定されるとして解釈すべきではない。むしろ、それらの実施形態は、本開示によって法的な要件が満たされるように提供されている。全体を通じて、数字などは要素などを参照している。
【００１１】
本発明の例示の実施形態は、とりわけ、電気車両充電ステーションの充電機能に接続するためのシステムおよび方法を対象にしている。本発明のある実施形態は、モバイル装置の固有識別子に関連付けられた消費者の、電気車両充電ステーションに関連付けられた充電機能への接続が可能であることを検証することを対象としてもよい。例えば、モバイル装置の固有識別子を電気車両充電ステーション操作者に登録してもよい。次いで、電気車両充電ステーション操作者は、モバイル装置の固有識別子を、電気車両充電ステーションの充電機能に接続するように認可された消費者に関連付けてもよい。モバイル装置は、モバイル装置の固有識別子および電気車両充電ステーションの読取可能コードを、電気車両充電ステーション操作者に送信してもよい。次いで、電気車両充電ステーション操作者は、モバイル装置の固有識別子に関連付けられた消費者の、電気車両充電ステーションに関連付けられた充電機能への接続が可能であることを検証してもよい。検証と同時に、消費者には、電気車両充電ステーションの充電機能への接続が承諾されてもよい。
【００１２】
ある実施形態では、消費者は、モバイル装置の固有識別子を電気車両充電ステーション操作者に登録し、読取可能コードを有する特定の電気車両充電ステーションに関連付けられた読取可能コードを電気車両充電ステーション操作者にモバイル装置によって送信し、モバイル装置の固有識別子に関連付けられた消費者の、電気車両充電ステーションに関連付けられた充電機能への接続が可能であるという指示を受信してもよい。
【００１３】
さらに、ある実施形態では、電気車両充電ステーション操作者は、消費者を固有識別子を有するモバイル装置に関連付け、電気車両充電ステーションを特定の読取可能コードに関連付け、読取可能コードを有する特定の電気車両充電ステーションに関連付けられた読取可能コードを含み、モバイル装置に関連付けられた固有識別子をさらに含む通信をモバイル装置から受信し、モバイル装置の固有識別子に関連付けられた消費者の、電気車両充電ステーションに関連付けられた充電機能への接続が可能であることを検証してもよい。
【００１４】
ある態様では、モバイル装置の固有識別子はＭＡＣアドレスであってよい。別の態様では、読取可能コードは、クイックレスポンス（ＱＲ）コード、バーコード、または暗号化識別コードであってもよい。さらに別の態様では、モバイル装置は、スマートフォン、携帯電話、タブレット端末、または携帯通信装置であってもよい。別の態様では、通信の一部またはすべては、安全なプラットフォームで実施されてもよい。
【００１５】
本発明のある実施形態は、電気車両充電ステーションの充電機能への接続を容易にする技術的解決法を提供することができる。ある実施形態では、消費者に関連付けられたモバイル装置に対する固有識別子と、電気車両充電ステーションに対する読取可能コードとを、電気車両充電ステーションによって管理される充電機能への消費者の接続を認可する目的のために、共に関連付けることが可能となっている。この方法では、本発明のある実施形態は、電気車両充電ステーションの充電機能への接続を促進することができると共に、容易にすることができる。
【００１６】
図１は、本発明の実施形態による、コンピュータ装置１００などのシステムの例示の概要を示す。コンピュータ装置１００は、開示された特徴を実施することができ、限定されることはないが、図１を参照しつつ説明される方法などの方法を伴うことができる任意の適切なコンピュータ装置として構成されればよい。限定されることのない例として、適切なコンピュータ装置には、パーソナルコンピュータ（ＰＣ）、サーバ、サーバーファーム、データセンタ、または開示された特徴のすべてまたは一部を保存および実施することができる任意の他の装置が含まれ得る。
【００１７】
ある例示の構成では、コンピュータ装置１００は、少なくともメモリ１０２、および、１つまたは複数の処理装置（またはプロセッサ）１０４を備えている。プロセッサ１０４は、必要に応じて、ハードウェア、ソフトウェア、ファームウェア、またはそれらの組合せにおいて動作可能となっている。プロセッサ１０４のソフトウェアまたはファームウェアの実施には、記載の様々な機能を実施するように任意の適切なプログラム言語で記載された、コンピュータで実行可能または機械で実行可能な命令が含まれ得る。さらに、プロセッサ１０４は、ネットワーク、サーバ、コンピュータ、またはモバイル装置に関連付けられてもよい。
【００１８】
メモリ１０２は、プロセッサ１０４で読込可能かつ実行可能なプログラム命令、ならびに、これらのプログラムを実行する間に生成されるデータを保存することができる。コンピュータ装置１００の構成および種類に依存して、メモリ１０２は、揮発性（ランダムアクセスメモリ（ＲＡＭ））および／または不揮発性（リードオンリメモリ（ＲＯＭ）、フラッシュメモリなど）であればよい。コンピュータ装置またはサーバは、磁気記憶装置、光ディスク、および／またはテープ記憶装置を含むがそれらに限定されることのない、追加の取り外し可能な記憶装置１０６および／または取り外し不可能な記憶装置１０８を備えていてもよい。ディスクドライブおよびそれと共に用いるコンピュータ読取可能な媒体は、コンピュータ読取可能な命令、データ構造、プログラムモジュール、およびコンピュータ装置用の他のデータのための不揮発性の記憶装置を提供することができる。ある実施においては、メモリ１０２は、スタティックランダムアクセスメモリ（ＳＲＡＭ）、ダイナミックランダムアクセスメモリ（ＤＲＡＭ）、またはＲＯＭなどの複数の異なる種類のメモリを有していてもよい。
【００１９】
メモリ１０２、取り外し可能な記憶装置１０６、および、取り外し不可能な記憶装置１０８はすべて、コンピュータ読込可能な記憶媒体の例である。例えば、コンピュータ読取可能な記憶媒体には、コンピュータ読取可能な命令、データ構造、プログラムモジュール、または他のデータなどの情報を保存するための任意の方法または技術により実施される、揮発性および不揮発性で、取り外し可能および取り外し不可能な媒体が含まれていてもよい。メモリ１０２、取り外し可能な記憶装置１０６、および、取り外し不可能な記憶装置１０８はすべて、コンピュータ記憶媒体の例である。存在し得るコンピュータ記憶媒体の追加的な種類には、限定されることはないが、プログラム可能なランダムアクセスメモリ（ＰＲＡＭ）、ＳＲＡＭ、ＤＲＡＭ、ＲＯＭ、電気的に消去可能でプログラム可能なリードオンリメモリ（ＥＥＰＲＯＭ）、フラッシュメモリ、または他のメモリ技術、コンパクトディスクリードオンリメモリ（ＣＤ−ＲＯＭ）、デジタル多目的ディスク（ＤＶＤ）、または他の光記憶装置、磁気カセット、磁気テープ、磁気ディスク記憶装置、または他の磁気記憶装置、あるいは、所望の情報を保存するのに使用することができ、サーバまたは他のコンピュータ装置によってアクセスすることができる任意の他の媒体が含まれる。上記の媒体の任意の組合せもまた、コンピュータ読取可能な媒体の範囲に含まれべきものである。
【００２０】
代わりに、コンピュータ読取可能な通信媒体には、コンピュータ読取可能な命令、プログラムモジュール、あるいは、搬送波などのデータ信号または他の送信内で送信される別のデータが含まれ得る。
【００２１】
コンピュータ装置１００はまた、コンピュータ装置１００を、保管されたデータ、別のコンピュータ装置またはサーバ、ユーザ端末、および／または、ネットワーク１２８上の他の装置と通信可能にする通信接続１１０を備えていてもよい。コンピュータ装置１００はまた、キーボード、マウス、ペン、音声入力装置、タッチ入力装置などの入力装置１１２、および、ディスプレイ、スピーカ、プリンタなどの出力装置１１４を備えていてもよい。
【００２２】
メモリ１０２の内容についてより詳細に見ていくと、メモリ１０２には、操作システム１１６、および、登録モジュール１１８を含む、本明細書で開示された特徴を実施するための１つまたは複数のアプリケーションプログラムまたはサービスが含まれていてもよい。登録モジュール１１８は、限定されることはないが、メディアアクセス制御（ＭＡＣ）アドレスなどの、モバイル装置に関連付けられた固有識別子に関するデータを受信するように構成されていてもよい。また、登録モジュール１１８は、モバイル装置に関連付けられた固有識別子をメモリ１０２に保存してもよい。ある態様においては、登録モジュール１１８は、モバイル装置に関連付けられた固有識別子を、ウェブサイト、キオスク、あるいは、コンピュータ装置１００に接続可能な他のポータルまたはネットワーク１２８を通じて受信してもよい。
【００２３】
メモリ１０２にはまた、読取可能コード関連付けモジュール１２０が含まれていてもよい。読取可能コード関連付けモジュール１２０は、読取可能コードを電気車両充電ステーションに関連付けるように構成されていてもよい。読取可能コード関連付けモジュール１２０はまた、電気車両充電ステーションに関連付けられた読取可能コードを、メモリ１０２に保存してもよい。
【００２４】
メモリ１０２にはさらに、固有識別子関連付けモジュール１２２が含まれていてもよい。固有識別子関連付けモジュール１２２は、登録モジュール１１８で登録されたモバイル装置の固有識別子を、電気車両充電ステーションに関連付けられた充電機能に接続する消費者に関連付けるように構成されていてもよい。固有識別子関連付けモジュール１２２はまた、消費者に関連付けられたモバイル装置の固有識別子を、メモリ１０２に保存してもよい。
【００２５】
また、メモリ１０２には、検証モジュール１２４が含まれていてもよい。検証モジュール１２４は、登録モジュール１１８で登録されたモバイル装置の固有識別子が、固有識別子関連付けモジュール１２２で関連付けられた電気車両充電ステーションに関連付けられる充電機能に接続する消費者に関連付けられていることを検証するように構成されていてもよい。
【００２６】
メモリ１０２にはまた、接続認可モジュール１２６が含まれていてもよい。接続認可モジュール１２６は、固有識別子検証モジュール１２４での検証と同時に、電気車両充電ステーションに関連付けられた充電機能への接続を提供するように構成されていてもよい。
【００２７】
本明細書に記載される様々な命令、方法、および技術は、プログラムモジュールなどの、１つまたは複数のコンピュータあるいは他の装置によって実行されるコンピュータ実行可能な命令の一般的な内容において検討されてもよい。一般的に、プログラムモジュールは、特定のタスクを実施、または、特定の抽象データ型を実行するためのルーチン、プログラム、オブジェクト、コンポーネント、データ構造などを含んでいる。これらのプログラムモジュールなどは、仮想マシンまたは他のジャストインタイムコンパイル実行環境においてなど、ネイティブコードとして実行されてもよく、あるいは、ダウンロードされて実行されてもよい。通常、プログラムモジュールの機能性は、様々な実施形態において要望に応じて組み合わせられたり分割させられたりしてもよい。これらモジュールおよび技術の実装は、コンピュータ読取可能な記憶媒体の何らかの態様で保存されればよい。
【００２８】
図１に示すコンピュータ装置の例は、単に実施例として提供される。他の多くの操作環境、システム構築、および装置構成が可能である。したがって、ここで開示された実施形態は、何らかの特定の操作環境、システム構築、または、装置構成に限定されるとして解釈されるべきではない。
【００２９】
図２は、電気車両充電ステーションの充電機能への接続を容易にするための例とされるデータの流れ２００の詳細を概略的に示した図である。例とされるデータの流れ２００は、電気車両充電ステーション２０２、電気車両充電ステーション２０２に関連付けられた読取可能コード２０４、および、電気車両充電ステーション２０２の充電機能２１１への接続を提供するためのモバイル装置２０６を利用する。ある態様においては、データの流れ２００によって、モバイル装置２０６の固有識別子２０５に関連付けられた消費者２０７の、電気車両充電ステーション２０２に関連付けられた充電機能２１１への接続２１６が可能であることの検証を容易にすることができる。
【００３０】
データの流れ２００は、例えば、消費者２０７などによって、モバイル装置２０６などを用いて開始され、電気車両充電ステーション２０２の読取可能コード２０４を読み取る。モバイル装置２０６は、読取可能コード２０４を受信することができ、あるいは、読取可能コード２０４を、ネットワーク２１６を介して電気車両充電ステーション操作者２１２のところにあるサーバなどのサーバまたはプロセッサに基づく他の装置に送信することができる。電気車両充電ステーション操作者２１２のところにあるサーバは、モバイル装置２０６の固有識別子２０５が、電気車両充電ステーション２０２に関連付けられた充電機能２１１に接続する消費者２０７に関連付けられていることを検証することができる。図２に示された具体的な実施では、読取可能コード２０４はクイックレスポンス（ＱＲ）コードとすることができ、モバイル装置２０６の固有識別子２０５はメディアアクセス制御（ＭＡＣ）アドレスとすることができ、モバイル装置２０６はスマートフォンとすることができる。しかしながら、バーコードまたは暗号化識別コードを含むがそれらに限定されることのない任意の読取可能コードを使用可能であろうことは察することができる。また、電話番号またはＩＰアドレスを含むがそれらに限定されることのない任意の固有識別子を使用可能であろうことも察することができる。さらに、携帯電話、タブレット端末、または携帯通信装置を含むがそれらに限定されることのない任意のモバイル装置を使用可能であろうことは察することができる。
【００３１】
ある態様において図２をさらに参照すると、読取可能コード２０４は、電気車両充電ステーション２０２に直接またはその周囲に配設されていればよい。モバイル装置２０６は、カメラ、あるいは、コードを読取、感知、検出、または受信することができる他の装置を用いて読取可能コード２０４を読み取ることができる。モバイル装置２０６の固有識別子２０５および電気車両充電ステーション２０２の読取可能コード２０４の、電気車両充電ステーション操作者２１２への送信２１０が行われる。次に、電気車両充電ステーション操作者２１２は、モバイル装置２０６の固有識別子が、電気車両充電ステーション２０２に関連付けられた充電機能２１１に接続する消費者に関連付けられていることの検証２１４を行う。検証と同時に、電気車両充電ステーション２０２の充電機能への接続の承諾２１６が行われる。接続を受信するのと同時に、電気車両２０８は、電気車両充電ステーション２０２の充電機能２１１を用いて充電されてもよい。一方、モバイル装置２０６の固有識別子２０５が、電気車両充電ステーション２０２の充電機能２１１に接続する消費者２０７と関連付けられなかった場合には、需給アカウントへの接続の否認２１８が行われる。
【００３２】
図３は、電気車両充電ステーションの充電機能に前述のように接続するための他の態様を実施するための方法３００の流れ図の例を示す。ある例においては、図１の例示のコンピュータ装置１００、および／あるいは、例示のコンピュータ装置１００の１つまたは複数のモジュールが、単独でまたは組み合わされて、方法３００に記載の工程を実施することができる。
【００３３】
この具体的な実施において、方法３００は、図３のブロック３０２で開始することができ、そのブロック３０２において、方法３００は、モバイル装置の固有識別子を電気車両充電ステーション操作者に登録することを含むことができる。さらに、ブロック３０４では、方法３００は、読取可能コードを有する特定の電気車両充電ステーションに関連付けられた読取可能コードを電気車両充電ステーション操作者にモバイル装置によって送信することを含むことができる。ブロック３０６では、方法３００は、モバイル装置の固有識別子に関連付けられた消費者の、電気車両充電ステーションに関連付けられた充電機能への接続が可能であるという指示を受信することを含むことができる。
【００３４】
図４は、電気車両充電ステーションの充電機能に前述のように接続するための他の態様を実施するための方法４００の流れ図の別の例を示す。ある例においては、図１の例示のコンピュータ装置１００、および／あるいは、例示のコンピュータ装置１００の１つまたは複数のモジュールが、単独でまたは組み合わされて、方法４００に記載の工程を実施することができる。
【００３５】
この具体的な実施において、方法４００は、図４のブロック４０２で開始することができ、そのブロック４０２において、方法４００は、消費者を固有識別子を有するモバイル装置に関連付けることを含むことができる。さらに、ブロック４０４では、方法４００は、電気車両充電ステーションを特定の読取可能コードに関連付けることを含むことができる。ブロック４０６では、方法４００は、読取可能コードを有する特定の電気車両充電ステーションに関連付けられた読取可能コードを含み、モバイル装置に関連付けられた固有識別子をさらに含む通信をモバイル装置から受信することを含むことができる。加えて、ブロック４０８では、方法４００は、モバイル装置の固有識別子に関連付けられた消費者の、電気車両充電ステーションに関連付けられた充電機能への接続が可能であることを検証することを含むことができる。検証と同時に、ブロック４１０において、消費者には、電気車両充電ステーションの充電機能への接続が承諾されてもよい。電気車両充電ステーションの充電機能への消費者の接続が承諾されると、消費者は、電気車両を充電することができる。一方、モバイル装置の固有識別子が、電気車両充電ステーションの充電機能に接続する消費者と関連付けられなかった場合には、ブロック４１２において、電気車両充電ステーションの充電機能への接続が否認される。
【００３６】
例示のシステムおよび方法は、需給計器の読取可能コードがモバイル装置の固有識別子に関連付けられていることを検証することで、消費者の需給アカウントへの接続を提供するように説明されている。これらのシステムおよび方法の一部またはすべては、必要により、前述の図１に示されるように構築することで、少なくとも部分的に実施されてもよい。
【００３７】
実施形態は、構造的な特徴および／または方法論的な行為に特異な言葉で説明されているが、この開示はそれら記載された特異な特徴または行為に限定される必要がないことは理解されるだろう。むしろ、それら特異な特徴または行為は、実施形態を実施する例示的な態様として開示されているのである。
【符号の説明】
【００３８】
１００  装置
１０２  メモリ
１０４  プロセッサ
１０６  取り外し可能な記憶装置
１０８  取り外し不可能な記憶装置
１１０  通信接続
１１２  入力装置
１１４  出力装置
１１６  操作システム
１１８  登録モジュール
１２０  読取可能コード関連付けモジュール
１２２  固有識別子関連付けモジュール
１２４  検証モジュール
１２６  接続認可モジュール
１２８  ネットワーク
２００  データの流れ
２０２  電気車両充電ステーション
２０４  読取可能コード
２０５  固有識別子
２０６  モバイル装置
２０７  消費者
２０８  電気車両
２１０  送信
２１１  充電機能
２１２  充電ステーション操作者
２１４  検証
２１６  承諾
２１８  否認
【図１】
2013070597.tif 000003
【図２】
2013070597.tif 000004
【図３】
2013070597.tif 000005
【図４】
2013070597.tif 000006
【外国語明細書】
2013070597000001.pdf